(57)【要約】【課題】現場での溶接を行うことなく補強部材を取り付けることによって耐震補強が可能であり、従来よりも簡便に補強できる柱梁架構の耐震補強構造を提供すること。【解決手段】建物の柱梁架構に設置される補強部材１６の端部が取り付けられるガセットプレート１８が、帯状の両端部のそれぞれに板状の固定用金物２２，２４が添えられた帯状の繊維シート２０によって建物の柱梁架構の柱１２に固定される。柱梁架構の柱１２の一部が帯状の繊維シート２０によって周方向に包まれ、繊維シート２０の固定用金物２２，２４が添えられた両端部で、その内面同士が、両固定用金物２２，２４間に繊維シート２０が挟まれるように重ね合わされ、この際、重ね合わされる内面間にガセットプレート１８が挟まれており、ガセットプレート１８とともに両固定用金物２２，２４間が締結用ボルト２６で締め込まれる。【選択図】図１
2013011151.tif 000002
【特許請求の範囲】
【請求項１】
建物の柱梁架構に補強部材が設置されて補強される柱梁架構の耐震補強構造において、
前記柱梁架構の柱または梁の一部が周方向に沿って帯状の繊維シートで包まれ、
該繊維シートの両端部のそれぞれには板状の固定用金物が添えられ、
該繊維シートの固定用金物が添えられた両端部でその内面同士が合わされることにより該繊維シートの両端部が固定用金物間に挟まれ、
この際、合わされる固定用金物間には、該繊維シートの両端部とともに、前記補強部材の端部が取り付けられるガセットプレートが挟まれており、
該ガセットプレートとともに前記固定用金物間が締結用ボルトで締め込まれることにより前記柱または梁の外周面に前記繊維シートが密着固定されて、該繊維シートを介して前記ガセットプレートが前記柱または梁に固定され、
該ガセットプレートに前記補強部材の端部が取り付けられていることを特徴とする柱梁架構の耐震補強構造。
【請求項２】
建物の柱梁架構に補強部材が設置されて補強される柱梁架構の耐震補強構造において、
帯状の長手方向に沿って並べられた帯状の複数枚の繊維シートの組み合わせによって前記柱梁架構の柱または梁の一部が周方向に沿って包まれ、
該複数枚の繊維シートの端部のそれぞれには板状の固定用金物が添えられ、
隣り合う繊維シートの固定用金物が添えられた端部の内面同士が合わされることにより該繊維シートの端部が固定用金物間に挟まれ、
この際、合わされる固定用金物間には、該繊維シートの端部とともに、前記補強部材の端部が取り付けられるガセットプレートが挟まれており、
該ガセットプレートとともに前記固定用金物間が締結用ボルトで締め込まれることにより前記柱または梁の外周面に前記複数枚の繊維シートの組み合わせが密着固定されて、該複数枚の繊維シートの組み合わせを介して複数個のガセットプレートが前記柱または梁に固定され、
該複数個のガセットプレートに前記補強部材の端部がそれぞれ取り付けられていることを特徴とする柱梁架構の耐震補強構造。
【請求項３】
前記繊維シートの端部は、前記固定用金物の先端で折り返されて固定用金物の両面に固定されていることを特徴とする請求項１または２に記載の柱梁架構の耐震補強構造。
【請求項４】
前記ガセットプレートは、前記合わされる固定用金物間に挟まれる部分となる挟締部の基端から前記柱または梁の外周面に沿って延びる応力分散部を備えており、前記補強部材から該ガセットプレートに伝達される圧縮力により該ガセットプレートに生じる応力を該応力分散部で前記柱または梁の外周面に沿って分散させることを特徴とする請求項１から３のいずれか１項に記載の柱梁架構の耐震補強構造。
【請求項５】
前記固定用金物の基端には、前記柱の外周面に当接して該固定用金物を安定させる脚部が形成されていることを特徴とする請求項１から４のいずれか１項に記載の柱梁架構の耐震補強構造。
【請求項６】
前記繊維シートは、前記柱の外周面との密着面で前記柱の外周面に接着されていることを特徴とする請求項１から５のいずれか１項に記載の柱梁架構の耐震補強構造。
【発明の詳細な説明】
【技術分野】
【０００１】
本発明は、建物の柱梁架構に補強部材を設置して補強する柱梁架構の耐震補強構造に関し、さらに詳しくは、鉄骨造、鉄筋コンクリート造、鉄骨鉄筋コンクリート造などの建物の柱梁架構に補強部材を設置して補強する柱梁架構の耐震補強構造に関するものである。
【背景技術】
【０００２】
従来、鉄骨造などの建物の柱梁架構を補強する方法としては、これらの建物の柱梁架構に方杖やブレースなどの補強部材を設置する方法がある。このような補強部材を建物の柱梁架構に設置することで、水平力に対して建物の耐力を増加させることができる。この際、柱梁架構に生じる応力を補強部材に十分伝達させるためには、補強部材の端部を柱梁架構に接合して一体化させることが必要である。したがって、その接合方法が重要となる。
【０００３】
鉄骨造における接合方法としては、溶接が良く知られている。具体的には、ブレースなどの補強部材の端部をボルトなどで固定するガセットプレートを溶接によって柱梁架構の柱あるいは梁に取り付け、取り付けられたガセットプレートにブレースなどの補強部材の端部をボルトなどで固定する方法などがある。
【０００４】
また、この種の接合方法においては、溶接を用いない接合方法も知られている。例えば特許文献１には、ブレースなどの補強部材の端部をボルトなどで固定するガセットプレートが固定された板部材を建物の梁又は柱をなす鋼管に接着し、この板部材の各端部で鋼管に繊維シートを巻き付けることが開示されている。
【先行技術文献】
【特許文献】
【０００５】
【特許文献１】特開２００８−１９６６２号公報
【発明の概要】
【発明が解決しようとする課題】
【０００６】
ここで、溶接による場合には、現場において柱梁架構の柱あるいは梁にガセットプレートの溶接を行う必要がある。この場合には、火事等の発生を予防する目的から、大規模な溶接養生が必要となり、コストの増加に繋がる。また、現場の環境が悪い場合（例えば、上向きに溶接を行う必要がある場合など）などでは溶接欠陥などが生じることがあり、耐震性能の低下が心配される。そこで、現場での溶接を必要としない接合方法が望まれる。
【０００７】
これに対し、特許文献１に記載の方法は、現場での溶接を必要としない接合方法ではあるが、現場にて鋼管に繊維シートを何重にも巻き付けることから、繊維シートを巻き付ける煩雑な工程が必要となり、施工中に多大な労力と時間を要する。そこで、溶接を用いない方法であって、より簡便にガセットプレートを柱梁架構に接合できる接合方法が望まれる。
【０００８】
本発明が解決しようとする課題は、現場での溶接を行うことなく補強部材を取り付けることによって耐震補強が可能であり、従来よりも簡便に補強できる柱梁架構の耐震補強構造を提供することにある。
【課題を解決するための手段】
【０００９】
上記課題を解決するために本発明に係る柱梁架構の耐震補強構造は、建物の柱梁架構に補強部材が設置されて補強される柱梁架構の耐震補強構造において、前記柱梁架構の柱または梁の一部が周方向に沿って帯状の繊維シートで包まれ、該繊維シートの両端部のそれぞれには板状の固定用金物が添えられ、該繊維シートの固定用金物が添えられた両端部でその内面同士が合わされることにより該繊維シートの両端部が固定用金物間に挟まれ、この際、合わされる固定用金物間には、該繊維シートの両端部とともに、前記補強部材の端部が取り付けられるガセットプレートが挟まれており、該ガセットプレートとともに前記固定用金物間が締結用ボルトで締め込まれることにより前記柱または梁の外周面に前記繊維シートが密着固定されて、該繊維シートを介して前記ガセットプレートが前記柱または梁に固定され、該ガセットプレートに前記補強部材の端部が取り付けられていることを要旨とするものである。
【００１０】
また、本発明に係る他の柱梁架構の耐震補強構造は、建物の柱梁架構に補強部材が設置されて補強される柱梁架構の耐震補強構造において、帯状の長手方向に沿って並べられた帯状の複数枚の繊維シートの組み合わせによって前記柱梁架構の柱または梁の一部が周方向に沿って包まれ、該複数枚の繊維シートの端部のそれぞれには板状の固定用金物が添えられ、隣り合う繊維シートの固定用金物が添えられた端部の内面同士が合わされることにより該繊維シートの端部が固定用金物間に挟まれ、この際、合わされる固定用金物間には、該繊維シートの端部とともに、前記補強部材の端部が取り付けられるガセットプレートが挟まれており、該ガセットプレートとともに前記固定用金物間が締結用ボルトで締め込まれることにより前記柱または梁の外周面に前記複数枚の繊維シートの組み合わせが密着固定されて、該複数枚の繊維シートの組み合わせを介して複数個のガセットプレートが前記柱または梁に固定され、該複数個のガセットプレートに前記補強部材の端部がそれぞれ取り付けられていることを要旨とするものである。
【００１１】
これらの場合において、前記繊維シートの端部は、前記固定用金物の先端で折り返されて固定用金物の両面に固定されていることが好ましい。
【００１２】
そして、前記ガセットプレートは、前記合わされる固定用金物間に挟まれる部分となる挟締部の基端から前記柱または梁の外周面に沿って延びる応力分散部を備えており、前記補強部材から該ガセットプレートに伝達される圧縮力により該ガセットプレートに生じる応力を該応力分散部で前記柱または梁の外周面に沿って分散させることが好ましい。
【００１３】
さらに、前記固定用金物の基端には、前記柱の外周面に当接して該固定用金物を安定させる脚部が形成されていることが好ましい。
【００１４】
そして、前記繊維シートは、前記柱の外周面との密着面で前記柱の外周面に接着されていても良い。
【発明の効果】
【００１５】
本発明に係る柱梁架構の耐震補強構造によれば、柱または梁の一部を周方向に包んだ帯状の繊維シートの両端部のそれぞれに添えられた板状の固定用金物で補強部材を取り付けるガセットプレートを繊維シートとともに挟み込んで固定することから、現場での溶接を行うことなく柱梁架構の柱または梁にガセットプレートを取り付けることができる。そして、このガセットプレートに補強部材を取り付けることによって現場での溶接を行うことなく耐震補強を行うことができる。
【００１６】
また、従来のように繊維シートを何重にも巻き付けるものではなく、繊維シートの両端部のそれぞれに添えられた板状の固定用金物をガセットプレートとともに締結用ボルトで締め込むことによって柱梁架構の柱または梁にガセットプレートを取り付けることができるため、従来よりも簡便に補強することができる。
【００１７】
そして、本発明に係る他の柱梁架構の耐震補強構造では、帯状の長手方向に沿って並べられた帯状の複数枚の繊維シートの組み合わせによって柱または梁の一部が周方向に包まれ、この複数枚の繊維シートの組み合わせを介して複数個のガセットプレートが柱または梁に固定されることから、柱または梁にガセットプレートを取り付ける基本的な構造は上記本発明に係る柱梁架構の耐震補強構造と同様である。このため、本発明に係る柱梁架構の耐震補強構造と同様の効果を奏する。
【００１８】
これらの場合において、繊維シートの端部が固定用金物の先端で折り返されて固定用金物の両面に固定されていると、締結用ボルトを用いて両固定用金物間を締め込んだときに繊維シートに生じる引張力に対して、抵抗力が向上する。これにより、ガセットプレートの取付強度が向上する。
【００１９】
そして、ガセットプレートが上記の応力分散部を備える場合には、補強部材からガセットプレートに圧縮力が作用した場合でも、ガセットプレートの圧縮応力がこの応力分散部で柱または梁の外周面に沿って分散されるので、挟締部の基端での応力集中が抑えられ、この圧縮力によって柱または梁の外周面が変形するのを防止することができる。
【００２０】
そして、固定用金物の基端に、柱の外周面に当接して固定用金物を安定させる脚部が形成されていると、繊維シートのような剛直でない材料の両端部のそれぞれに接着された板状の固定用金物を柱の外周面に沿って安定して固定することができる。これにより、ガセットプレートの取付強度が安定する。
【００２１】
そして、繊維シートが柱の外周面との密着面で柱の外周面に接着されていると、繊維シートと柱の一体性が高まる。これにより、ガセットプレートの取付強度が向上する。
【図面の簡単な説明】
【００２２】
【図１】本発明の一実施形態に係る柱梁架構の耐震補強構造の模式図である。
【図２】図１の柱梁架構の耐震補強構造において用いる繊維シートと固定用金物とガセットプレートの組み合わせを示した図である。
【図３】図１の柱梁架構の耐震補強構造におけるガセットプレートの取付部分を拡大して示した図である。
【図４】本発明に係る柱梁架構の耐震補強構造に適用可能な他の実施形態の繊維シートと固定用金物とガセットプレートの組み合わせを示した図である。
【図５】本発明に係る柱梁架構の耐震補強構造に適用可能な他の実施形態の繊維シートと固定用金物とガセットプレートの組み合わせを示した図である。
【図６】本発明に係る柱梁架構の耐震補強構造に適用可能な他の実施形態の繊維シートと固定用金物とガセットプレートの組み合わせを示した図である。
【図７】本発明に係る柱梁架構の耐震補強構造に適用可能な他の実施形態の繊維シートと固定用金物とガセットプレートの組み合わせを示した図である。
【図８】図３の柱梁架構の耐震補強構造において、ガセットプレートに圧縮力が作用したときに生じるおそれがある変形を説明する図である。
【図９】本発明に係る柱梁架構の耐震補強構造に適用可能な他の実施形態の繊維シートと固定用金物とガセットプレートの組み合わせを示した図である。
【図１０】図９に示したガセットプレートを適用した柱梁架構の耐震補強構造の模式図である。
【図１１】本発明の他の実施形態に係る柱梁架構の耐震補強構造におけるガセットプレートの取付部分を拡大して示した図である。
【図１２】本発明の他の実施形態に係る柱梁架構の耐震補強構造におけるガセットプレートの取付部分を拡大して示した図である。
【発明を実施するための形態】
【００２３】
以下に、本発明の実施形態について図を用いて詳細に説明する。図１は、本発明の一実施形態に係る柱梁架構の耐震補強構造の模式図である。図２は、図１の柱梁架構の耐震補強構造において用いる繊維シートと固定用金物とガセットプレートの組み合わせを示した図である。図３は、図１の柱梁架構の耐震補強構造におけるガセットプレートの取付部分を拡大して示した図である。
【００２４】
図１に示す本発明の一実施形態に係る柱梁架構の耐震補強構造１０において、耐震補強を施す建物は鉄骨造よりなるものである。柱梁架構の柱１２は鋼管よりなる鋼管柱（いわゆるＢＯＸ柱）であり、鋼管は径方向の断面形状が略四角形状であるものからなる。また、柱梁架構の梁１４はＨ形鋼で構成されている。このような構成の柱梁架構に対して、補強部材としてのブレース１６を設置することにより柱梁架構の耐震補強が行われる。ブレース１６には、例えばＨ形鋼や溝形鋼などの鋼材などが用いられる。
【００２５】
ブレース１６は、地震等の振動によって建物に作用する水平力（層間変形による力）に対して抵抗するものであり、例えば柱梁架構の対角を繋ぐように設置される。鉄骨造の柱梁架構の梁１４には、通常、スラブがあることから、ブレース１６の端部は柱１２と梁１４の接合部に隣接する位置の柱１２に取り付けられる。例えば、梁１４にスラブがない場合などでは、ブレース１６の端部は、接合部に隣接する位置の梁１４に取り付けられても良いし、接合部に隣接する位置の柱１２と梁１４の両方に取り付けられても良い。ブレース１６の端部を柱梁架構の柱１２に取り付けるための取付金具として、ガセットプレート１８が用いられる。
【００２６】
ガセットプレート１８には、ブレース１６の端部をボルト２８で固定するために設けられたブレース用の固定孔１８ａと、後述する固定用金物２２，２４に繊維シート２０とともに締結用ボルト２６で固定するために設けられた固定用金物用の固定孔１８ｂとが備えられている。
【００２７】
繊維シート２０は、カーボン繊維やアラミド繊維などの高強度繊維からなる繊維がシート状に成形されたもので構成されている。繊維シート２０は、帯状に形成されており、両端部のそれぞれには板状の固定用金物２２，２４が添えられる。固定用金物２２，２４は、繊維シート２０の両端部に接着等によって予め固定されて一体化されていても良いし、施工前においては固定用金物２２，２４と繊維シート２０とが一体化されておらず、別個独立した部材とされていても良い。
【００２８】
固定用金物２２，２４は、帯状の繊維シート２０の両端部のそれぞれに添えられる一対の組からなる。一対の固定用金物２２，２４のそれぞれには、互いに合わせたときに繊維シート２０とともにガセットプレート１８を挟み込んでこれらを締結する部分となる締結部２２ａ，２４ａが備えられているとともに、この締結部２２ａ，２４ａの基端には脚部２２ｂ、２４ｂが延設されて締結部２２ａ，２４ａの基端から互いに外側を向くように折り曲げ形成されている。この脚部２２ｂ、２４ｂは、板状の固定用金物２２，２４を柱１２の外周面に沿って安定させるためのものであり、繊維シート２０を挟んで柱１２の外周面に当接される部分である。固定用金物２２，２４の締結部２２ａ，２４ａには締結用ボルト２６を通すためのボルト挿通孔２２ｃ、２４ｃが形成されている。固定用金物２２，２４が繊維シート２０の両端部に接着等によって予め固定される場合には、固定用金物２２，２４は、この締結部２２ａ，２４ａの内面で繊維シート２０に固定される。
【００２９】
繊維シート２０の端部は、固定用金物２２，２４の締結部２２ａ，２４ａの先端で折り返されている。繊維シート２０の折り返された端部は、締結部２２ａ，２４ａの外面に接着等によって固定されていても良いし、固定されていなくても良い。
【００３０】
繊維シート２０の折り返しによる折り返し部２０ａは固定用金物２２，２４の締結部２２ａ，２４ａの先端に接触しており、固定用金物２２，２４の締結部２２ａ，２４ａの先端には、繊維シート２０の折り返し部２０ａでの応力集中を緩和する先端側丸み部２２ｄ、２４ｄが形成されている。また、固定用金物２２，２４の締結部２２ａ，２４ａの基端には脚部２２ｂ、２４ｂが延設されているが、この脚部２２ｂ、２４ｂは締結部２２ａ，２４ａの基端から折り曲げ形成されており、折り曲げ部分がこの部分（締結部２２ａ，２４ａの基端）に接触する繊維シート２０の接触部での応力集中を緩和する基端側丸み部２２ｅ，２４ｅとなっている。
【００３１】
ここで、柱梁架構の柱１２にガセットプレート１８を固定するには、上記帯状の繊維シート２０を用いる。まず、帯状の繊維シート２０を用いて柱梁架構の柱１２の一部を周方向に包む。次いで、繊維シート２０の両端部のそれぞれに固定用金物２２，２４を添える。次いで、固定用金物２２，２４が添えられた繊維シート２０の両端部の内面同士を合わせる。これにより、繊維シート２０の両端部が固定用金物２２，２４間に挟まれる。このとき、合わされる固定用金物２２，２４間に、繊維シート２０の両端部とともにガセットプレート１８を挟み込む。次いで、締結用ボルト２６を用いてガセットプレート１８とともに固定用金物２２，２４間を締め込む。
【００３２】
固定用金物２２，２４間を締め込むと、繊維シート２０は図３の矢印の方向（繊維シート２０を柱１２の外周面に沿って締付ける方向）に引っ張られて柱１２の外周面に密着する。それとともに、板状の固定用金物２２，２４の脚部２２ｂ、２４ｂは繊維シート２０を挟んで柱１２の外周面に当接し、板状の固定用金物２２，２４が柱１２の外周面に沿って安定する。繊維シート２０は、繊維シート２０に生じる張力（締付け力）によって柱１２の外周面に固定される。柱１２に固定された繊維シート２０を介して固定用金物２２，２４に締結されたガセットプレート１８が柱１２に固定される。柱１２に固定されたガセットプレート１８に補強部材としてのブレース１６の端部を取り付けて柱梁架構にブレース１６を架設することにより柱梁架構が補強される。
【００３３】
このような柱梁架構の耐震補強構造１０によれば、柱１２の一部を周方向に包んだ帯状の繊維シート２０の両端部のそれぞれに添えられた板状の固定用金物２２，２４で補強部材としてのブレース１６を取り付けるガセットプレート１８を繊維シート２０とともに挟み込んで固定することから、現場での溶接を行うことなく柱梁架構の柱１２にガセットプレート１８を取り付けることができる。
【００３４】
この際、従来のように繊維シートを何重にも巻き付けるものではなく、繊維シート２０の両端部のそれぞれに添えられた板状の固定用金物２２，２４をガセットプレート１８とともに締結用ボルト２６で締め込むことによって柱梁架構の柱１２にガセットプレート１８を取り付けることができるため、従来よりも簡便に補強することができる。
【００３５】
このとき、繊維シート２０の端部が固定用金物２２，２４の端部で折り返されて固定用金物２２，２４の両面に接着等によって固定されていると、締結用ボルト２６を用いて両固定用金物２２，２４間を締め込んだときに繊維シート２０に生じる引張力に対して、抵抗力が向上する。これにより、ガセットプレート１８の取付強度が向上する。
【００３６】
また、このとき、板状の固定用金物２２，２４の先端には繊維シート２０の折り返しによる折り返し部２０ａが接触するが、この先端には繊維シート２０の折り返し部２０ａでの応力集中を緩和する先端側丸み部２２ｄ、２４ｄが形成されているため、繊維シート２０の折り返し部２０ａでの破断強度の低下が抑えられる。これにより、ガセットプレート１８の取付強度が向上する。
【００３７】
さらに、このとき、板状の固定用金物２２，２４の基端にも繊維シート２０が接触するが、この基端にも繊維シート２０の接触部での応力集中を緩和する基端側丸み部２２ｅ，２４ｅが形成されているため、繊維シート２０の固定用金物２２，２４の基端との接触部での破断強度の低下が抑えられる。これにより、ガセットプレート１８の取付強度が向上する。
【００３８】
繊維シート２０は、柱１２の外周面との密着面で柱１２の外周面に接着されていても良いし、接着されていなくても良い。例えば接着されている場合には、繊維シート２０と柱１２の一体性がより高まる。これにより、ガセットプレート１８の取付強度が向上する。
【００３９】
建物の柱梁架構の柱１２の外周長は、建物の種類や性能等に応じて定まっているものであることから、繊維シート２０の長さや幅、固定用金物２２，２４の大きさなどは、あらかじめ定めることができる。このため、例えば工場などであらかじめ、繊維シート２０の長さや幅を所定の長さに設定し、所定の大きさの固定用金物２２，２４を繊維シート２０の所定の位置に固定して、あらかじめ帯状の両端部のそれぞれに板状の固定用金物２２，２４が固定された帯状の繊維シート２０を製品として作製しておくこともできる。この場合には、現場で繊維シート２０に固定用金物２２，２４を固定するなどの工程が生じない。
【００４０】
なお、繊維シート２０は、板状の固定用金物２２，２４の先端で必ずしも折り返されていなくても良い。例えば図４に示す他の実施形態のように、繊維シート２０の端部は、合わされる固定用金物２２，２４間で挟まれることによって、あるいは接着等によって、固定用金物２２，２４の内面では固定されているが、固定用金物２２，２４の外面には折り返されていないために固定用金物２２，２４の外面では固定されていない。
【００４１】
繊維シート２０の端部が折り返されて固定用金物２２，２４の両面に固定されている場合には、繊維シート２０の端部が固定用金物２２，２４の内面にのみ固定されている場合と比べて、繊維シート２０に生じる引張力に対する抵抗力が高いというメリットがある。
【００４２】
そして、繊維シート２０の形状は、上記実施形態に限定されるものではない。例えば図５〜７のような形状であっても良い。図５〜７は、本発明に係る柱梁架構の耐震補強構造に適用可能な他の実施形態の繊維シートと固定用金物２２，２４とガセットプレート１８の組み合わせを示した図である。
【００４３】
図５に示す繊維シート３０は、固定用金物２２，２４の締結部２２ａ，２４ａの幅（図５に示す上下方向の長さ）よりも短い幅とされた細帯状に揃えられた複数本の細帯状の繊維シート３２の束で構成されるものである。複数本の細帯状の繊維シート３２のそれぞれは、その長さ方向の両端部で板状の固定用金物２２，２４の締結部２２ａ，２４ａに接着等によって固定されて固定用金物２２，２４を介して複数本の細帯状の繊維シート３２が一体化されていても良いし、施工前においては、複数本の細帯状の繊維シート３２のそれぞれと固定用金物２２，２４とが接着等で一体化されておらず、別個独立した部材とされていても良い。
【００４４】
複数本の細帯状の繊維シート３２は、互いに接触しないように間隔をあけて配置されている。固定用金物２２，２４の締結部２２ａ，２４ａにおいて、締結用ボルト２６を通すためのボルト挿通孔２２ｃ、２４ｃは、例えば細帯状の繊維シート３２と細帯状の繊維シート３２の間の細帯状の繊維シート３２が配置されない部分などに形成すれば良い。なお、複数本の細帯状の繊維シート３２は、互いに接触するように間隔をあけないで配置することもできる。
【００４５】
図６に示す繊維シート４０は、１本の帯状の繊維シート４０により構成されるものである。帯状の繊維シート４０と固定用金物２２，２４とは、予め接着等によって一体化されていても良いし、施工前においては、帯状の繊維シート４０と固定用金物２２，２４とが接着等で一体化されておらず、別個独立した部材とされていても良い。図６に示す帯状の繊維シート４０は、固定用金物２２，２４の締結部２２ａ，２４ａの幅（図６に示す上下方向の長さ）よりも短い幅とされたものであり、例えばその長さ方向の両端部は固定用金物２２，２４の締結部２２ａ，２４ａの幅方向の中央部分に配置できる。このとき、固定用金物２２，２４の締結部２２ａ，２４ａの幅方向の両端部分は帯状の繊維シート４０が配置されない部分であり、例えばこの部分に締結用ボルト２６を通すためのボルト挿通孔２２ｃ、２４ｃが形成されれば良い。
【００４６】
図７に示す繊維シート５０は、２本の細帯状の繊維シート５２により構成されるものである。２本の細帯状の繊維シート５２は、固定用金物２２，２４の締結部２２ａ，２４ａの幅（図７に示す上下方向の長さ）よりも短い幅とされたものである。２本の細帯状の繊維シート５２のそれぞれは、その長さ方向の両端部で板状の固定用金物２２，２４の締結部２２ａ，２４ａに接着等によって固定されて固定用金物２２，２４を介して２本の細帯状の繊維シート５２が一体化されていても良いし、施工前においては、２本の細帯状の繊維シート５２のそれぞれと固定用金物２２，２４とが接着等で一体化されておらず、別個独立した部材とされていても良い。固定用金物２２，２４の締結部２２ａ，２４ａの幅方向の中央部分は２本の細帯状の繊維シート５２が配置されていない部分であり、例えばこの部分に締結用ボルト２６を通すためのボルト挿通孔２２ｃ、２４ｃが形成されれば良い。
【００４７】
図５〜７の構成においては、固定用金物２２，２４の締結部２２ａ，２４ａのうち、帯状の繊維シート３０〜５０が配置されていない部分にボルト挿通孔２２ｃ、２４ｃを形成できる。この場合には、帯状の繊維シート３０〜５０に穴をあけて締結用ボルト２６を通す必要がないため、帯状の繊維シート２０を用いた上記実施形態のものと比べてより簡便な構成である。
【００４８】
ここで、図２〜７に示すガセットプレート１８は平板よりなるものであるため、ブレース１６からガセットプレート１８に圧縮力が作用した場合には、ガセットプレート１８の基端（柱１２の外周面側）にその応力が集中する。この場合、その圧縮力の大きさ次第では、例えば図８に示すように、ガセットプレート１８の基端が位置する柱１２の外周面の幅方向中央部分で柱１２が点線で示すように凹む（変形する）おそれがある。
【００４９】
そこで、このような変形を抑える対策として、図９〜１０に、ガセットプレートの基端（柱１２の外周面側）に応力が集中しない構成とした、他の実施形態を示す。
【００５０】
図９には、本発明に係る柱梁架構の耐震補強構造に適用可能な他の実施形態の繊維シートと固定用金物とガセットプレートの組み合わせを示す。図９に示すものは、図２に示すものと比較して、ガセットプレートの形状が異なる点で相違しており、これ以外の構成については図２に示すものと同様であるため、その説明を省略する。
【００５１】
ガセットプレート６０には、ブレース１６の端部をボルト２８で固定するために設けられたブレース用の固定孔６０ａと、固定用金物２２，２４に繊維シート２０とともに締結用ボルト２６で固定するために設けられた固定用金物用の固定孔６０ｂとが備えられている。固定孔６０ｂは、繊維シート２０の両端部に添えられて合わされる固定用金物２２，２４間に挟まれる部分となる挟締部６２に設けられている。
【００５２】
ガセットプレート６０の挟締部６２の基端（柱１２の外周面側）には、応力分散部６４が挟締部６２と一体的に形成されている。この応力分散部６４は、挟締部６２の基端から柱１２の外周面に沿って延びている。したがって、図１０に示すように、ブレース１６からガセットプレート６０に圧縮力が作用すると、ガセットプレート６０の圧縮応力がこの応力分散部６４で柱の外周面に沿って分散されるので、挟締部６２の基端での応力集中が抑えられ、この圧縮力によって柱１２の外周面が凹む（変形する）のを防止することができる。
【００５３】
ここで、柱１２は、径方向の断面形状が略四角形状の鋼管柱（いわゆるＢＯＸ柱）であり、柱１２の幅方向両端には隣接する外面がある。この外面は、ガセットプレート６０を取り付ける面の幅方向両端部を支えるフランジ面となっている。応力分散部６４は、このフランジ面の上まで（柱１２の幅方向両端部まで）延びており、柱１２の幅方向両端部まで応力を分散させることができる。すなわち、応力を幅方向両端部のフランジ面まで伝達させることができる。これにより、柱１２の外面はさらに凹みにくく（変形しにくく）されている。
【００５４】
応力分散部６４の板厚は、応力分散機能を確保するなどの観点から、少なくとも柱１２の板厚よりも厚いことが好ましい。
【００５５】
ここで、上記の各実施形態においては、繊維シートや固定用金物は、柱１２と梁１４とで囲まれた１つの壁面内にのみガセットプレート１６を取り付けるために用いられているが、例えば、隣り合う２つ以上の壁面に対し、同時に２つ以上のガセットプレートを取り付けるために用いることもできる。
【００５６】
図１１および図１２は、それぞれ、本発明の他の実施形態に係る柱梁架構の耐震補強構造におけるガセットプレートの取付部分を拡大して示した図である。図１１は、例えば建物の角部に配置された柱に対して設置する例を示したものであり、角部において直交する２つの壁面に対し、繊維シートや固定用金物を用いて同時に２つのガセットプレートを取り付けるものである。図１２は、建物の面内に配置された柱に対して設置する例を示したものであり、同一面内で隣り合う２つの壁面に対し、繊維シートや固定用金物を用いて同時に２つのガセットプレートを取り付けるものである。
【００５７】
図１１に示す構造および図１２に示す構造は、図１０に示す構造と比べて、２枚の繊維シート２０と２対の固定用金物２２，２４と２つのガセットプレート６０を用いている点が相違している。これ以外の構成については図１０に示すものと同様であるため、その説明を省略する。
【００５８】
図１１において、帯状の２枚の繊維シート２０１，２０２は帯状の長手方向に沿って並べられている。この２枚の繊維シート２０１，２０２の組み合わせによって柱１２の一部が周方向に沿って包まれている。２枚の繊維シート２０１，２０２の端部２０１ａ，２０１ｂ，２０２ａ，２０２ｂのそれぞれには板状の固定用金物２２，２４が添えられている。
【００５９】
ここで、第１の繊維シート２０１の固定用金物２４が添えられた一方の端部２０１ａの内面と、第２の繊維シート２０２の固定用金物２２が添えられた一方の端部２０２ａの内面と、が合わされることにより繊維シート２０１，２０２の端部２０１ａ，２０２ａが固定用金物２２，２４間に挟まれ、この際、合わされる固定用金物２２，２４間には、繊維シート２０１，２０２の端部２０１ａ，２０２ａとともに、第１のガセットプレート６０１の挟締部６２１が挟まれている。
【００６０】
また、第１の繊維シート２０１の固定用金物２２が添えられた他方の端部２０１ｂの内面と、第２の繊維シート２０２の固定用金物２４が添えられた他方の端部２０２ｂの内面と、が合わされることにより繊維シート２０１，２０２の端部２０１ｂ，２０２ｂが固定用金物２２，２４間に挟まれ、この際、合わされる固定用金物２２，２４間には、繊維シート２０１，２０２の端部２０１ｂ，２０２ｂとともに、第２のガセットプレート６０２の挟締部６２２が挟まれている。
【００６１】
この状態で、ガセットプレート６０１とともに固定用金物２２，２４間が締結用ボルト２６で締め込まれ、また、ガセットプレート６０２とともに固定用金物２２，２４間が締結用ボルト２６で締め込まれると、柱１２の外周面に２枚の繊維シート２０１，２０２の組み合わせが密着固定される。これと同時に、ガセットプレート６０１，６０２の応力分散部６４１，６４２の面が柱１２の外周面に面を合わせて当接する。その結果、２枚の繊維シート２０１，２０２の組み合わせを介して、２つのガセットプレート６０１，６０２が柱１２に固定される。次いで、各々のガセットプレート６０１，６０２に補強部材としてのブレース１６の端部を取り付ければ、角部において直交する２つの壁面を補強することができる。
【００６２】
図１１に示す構造は、断面形状が略四角形状の鋼管柱よりなる柱１２の隣り合う（直交する）２つの面の外面に２つのガセットプレート６０１，６０２が固定された構造であるのに対し、図１２に示す構造は、向かい合う（平行な）２つの面の外面に２つのガセットプレート６０１，６０２が固定された構造である点が相違している。これ以外の構成については図１１に示すものと同様であるため、その説明を省略する。したがって、各々のガセットプレート６０１，６０２に補強部材としてのブレース１６の端部を取り付ければ、同一面内で隣り合う２つの壁面を補強することができる。
【００６３】
なお、図１１に示す構造や図１２示す構造においては、ガセットプレートに、挟締部６２と応力分散部６４とを備えたＴ字型のガセットプレート６０が用いられているが、これらの場合においては、ガセットプレートの形状としては、特にＴ字型のものに限定されるものではない。これ以外の形状であっても良いのは勿論である。例えば、図２などに示されるように、応力分散部がない、平板状のガセットプレート１８などを、Ｔ字型のガセットプレート６０に代えて、図１１に示す構造や図１２示す構造に適用することもできる。
【００６４】
また、図１１に示す構造や図１２示す構造においては、隣り合う２つの壁面に対し、同時に２つのガセットプレートを取り付ける例を示しているが、これらは一例として挙げたものであり、本発明においては、隣り合う２つ以上の壁面に対し、同時に２つ以上のガセットプレートを取り付けることも可能である。例えば、帯状の繊維シートを３〜４枚用意し、固定用金物を３〜４対用意し、これらを組み合わせることによって、隣り合う３つの壁面や隣り合う４つの壁面に対し、同時に３つのガセットプレートや４つのガセットプレートを取り付けることもできるのは勿論である。
【００６５】
以上、本発明の実施の形態について詳細に説明したが、本発明は上記実施の形態に何ら限定されるものではなく、本発明の要旨を逸脱しない範囲で種々の改変が可能である。
【００６６】
例えば上記実施形態においては、耐震補強を施す建物として鉄骨造のものを例に挙げて本発明を説明しているが、このような耐震補強構造を適用可能な建物としては、鉄骨造のものに限定されず、鉄筋コンクリート造のものや鉄骨鉄筋コンクリート造のものなどにも適用することができるのはいうまでもない。例えば耐震補強を施す建物が鉄筋コンクリート造などである場合には、繊維シートを取り付ける柱に滑らかではない角があるときなどには、必要に応じて角金物を設置し、角で繊維シートが破断しやすくならないようにしても良い。
【００６７】
また、上記実施形態においては、柱梁架構の柱１２として径方向の断面形状が略四角形状の鋼管柱を例に挙げて本発明を説明しているが、略四角形状以外の断面形状（例えば円状や四角形状以外の多角形状など）の鋼管柱であっても良いし、Ｈ形鋼や溝形鋼などの形鋼よりなる柱であっても良い。このような構造の柱であっても本発明の耐震補強構造は適用可能である。この場合においても、必要に応じて角金物を設置し、形鋼の角で繊維シートが破断しやすくならないようにしても良い。
【００６８】
また、上記実施形態においては、補強部材としてブレースを例に挙げて本発明を説明しているが、方杖などの補強部材に対しても本発明の耐震補強構造は適用可能である。
【００６９】
また、上記実施形態においては、固定用金物の締結部の基端に脚部が設けられているものを例に挙げて本発明を説明しているが、脚部が存在しない構成であっても良い。なお、この場合には、締結部の基端にも、締結部の先端の先端側丸み部と同形状の基端側丸み部が設けられていることが好ましい。
【００７０】
また、上記実施形態においては、繊維シートの柱への締付け具合を調整するなどの目的で、固定用金物の締結部間に板材などをさらに配置することもできる。
【符号の説明】
【００７１】
１０  柱梁架構の耐震補強構造
１２  柱
１４  梁
１６  補強部材（ブレース）
１８  ガセットプレート
２０  繊維シート
２２，２４  固定用金物
２６  締結用ボルト
【図１】
2013011151.tif 000003
【図２】
2013011151.tif 000004
【図３】
2013011151.tif 000005
【図４】
2013011151.tif 000006
【図５】
2013011151.tif 000007
【図６】
2013011151.tif 000008
【図７】
2013011151.tif 000009
【図８】
2013011151.tif 000010
【図９】
2013011151.tif 000011
【図１０】
2013011151.tif 000012
【図１１】
2013011151.tif 000013
【図１２】
2013011151.tif 000014